【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
長手方向軸線を有する円錐状物体の外表面に印刷するプリント装置であって、前記プリント装置は、
（i）  内側表面及び外側リリース面がある可撓性無端ベルトの形状を有する中間転写部材（ＩＴＭ）と、
（ii）  少なくとも１つのインク組成物を前記リリース面に堆積してインク画像を形成する画像付けステーションと、
（iii）  蒸発又は放射線曝露によって、前記インク画像をほぼ乾燥し又は少なくとも部分的に硬化させて、前記リリース面上にほぼ乾燥したインク画像を形成する乾燥ステーションと、
（iv）  前記ＩＴＭが円錐状物体と圧胴面との間で圧縮され、前記乾燥したインク画像を前記ＩＴＭの前記リリース面から前記円錐状物体の前記外表面に転写させるニップを有する圧胴ステーションと、及び
（v）  前記円錐状物体を前記圧胴ステーションに移送し、また前記圧胴ステーション通過中に前記円錐状物体を前記円錐状物体自体の長手方向軸線周りに回転させ、これにより前記ニップにおいて、前記円錐状物体の前記外表面を前記ＩＴＭの前記リリース面と転動接触させる物体移送システムとを備え、
（vi）  前記ＩＴＭは前記ＩＴＭの少なくとも移動方向に弾性変形可能であり、また
（vii）  前記ＩＴＭは前記圧胴ステーション通過中に伸長されるよう案内され、伸長の度合いは、前記ニップにおける前記ＩＴＭと前記円錐状物体との間における全接触線にわたって前記ＩＴＭの表面速度が前記円錐状物体の表面速度に合致するよう、前記ＩＴＭの幅にわたって変化するものであることを特徴とする、プリント装置。
【請求項２】
請求項１記載のプリント装置において、前記圧胴面は円錐状ローラの外表面である、プリント装置。
【請求項３】
請求項１記載のプリント装置において、前記圧胴面は静止面である、プリント装置。
【請求項４】
請求項１〜３のうちいずれか一項記載のプリント装置において、前記圧胴面の形状は前記ＩＴＭを伸長するように作用する、プリント装置。
【請求項５】
請求項１〜４のうちいずれか一項記載のプリント装置において、少なくとも１つの傾斜ローラ、傾斜した案内表面、または前記ＩＴＭを伸長するスプロケットを更に備える、プリント装置。
【請求項６】
請求項１〜５のうちいずれか一項記載のプリント装置において、前記ＩＴＭの両側の側端縁がＩＴＭの移動方向に見て前記圧胴ステーションの上流の所定位置で互いに同一速度で移動するのを確実にするクランプローラを設け、これにより前記ＩＴＭのすべての伸長が、前記クランプローラと前記圧胴ステーションとの間の領域に制約される、プリント装置。
【請求項７】
請求項１〜６のうちいずれか一項記載のプリント装置において、前記ＩＴＭの側端縁は、前記円錐状物体の大径側端部で前記圧胴面によって支持されず、前記ＩＴＭの前記側端縁を前記ニップにおいて前記円錐状物体の前記大径側端部に接触することなく前記円錐状物体から離れさせる、プリント装置。
【請求項８】
請求項１〜７のうちいずれか一項記載のプリント装置において、さらに、前記画像付けステーションの上流にコンディショニングステーションを備え、前記コンディショニングステーションでは、前記画像付けステーションから前記圧胴ステーションへの移送中における前記インク画像の前記リリース面に対する保持、および前記乾燥したインク画像の前記ＩＴＭから前記円錐状物体の表面への転写のうち少なくとも一方を促進するよう前記リリース面が調整される、プリント装置。
【請求項９】
請求項８記載のプリント装置において、前記リリース面は化学的に調整され、前記調整は、前記リリース面に対するトリートメント液体の薄層の塗布を含み、前記薄層は、前記ＩＴＭが前記画像付けステーションに進入する際にほぼ乾燥しているものである、プリント装置。
【請求項１０】
請求項１〜９のうちいずれか一項記載のプリント装置において、さらに、前記円錐状物体が前記圧胴ステーションを通過する前に前記円錐状物体の表面の少なくとも一部分を処理する１つ以上の前処理ステーションを備える、プリント装置。
【請求項１１】
請求項１０記載のプリント装置において、１つ以上の前記前処理ステーションの少なくとも１つは、
ａ）前記円錐状物体の前記表面の少なくとも一部分にコーティングを塗布するステーションであり、前記コーティングは随意的に前記乾燥したインク画像の転写又は転写に続く前記乾燥したインク画像の前記円錐状物体への定着を促進するものである、ステーション、および
ｂ）前記乾燥したインク画像の転写前に前記円錐状物体の前記表面の少なくとも一部分を加熱するステーション、
から選択される、プリント装置。
【請求項１２】
請求項１〜１１のうちいずれか一項記載のプリント装置において、さらに、前記乾燥したインク画像を前記円錐状物体の表面に転写した後に前記円錐状物体の前記表面の少なくとも一部分を処理する１つ以上の印刷後ステーションを備える、プリント装置。
【請求項１３】
請求項１２記載のプリント装置において、前記１つ以上の印刷後ステーションは、前記乾燥したインク画像を転写した後に、前記円錐状物体の前記表面の少なくとも一部分を加熱するステーションを含む、プリント装置。
【請求項１４】
請求項１２又は１３記載のプリント装置において、前記１つ以上の印刷後ステーションは、前記乾燥したインク画像を転写した後に、前記円錐状物体の前記表面の少なくとも一部分を硬化するステーションを含む、プリント装置。
【請求項１５】
請求項１２〜１４のうちいずれか一項記載のプリント装置において、前記１つ以上の印刷後ステーションは、前記円錐状物体の前記表面の少なくとも一部分にコーティングを塗布するステーションを含み、前記コーティングは随意的に転写後に前記乾燥したインク画像の前記円錐状物体への定着を促進する又は画像を保護するものである、プリント装置。
【請求項１６】
請求項１〜１５のうちいずれか一項記載のプリント装置において、前記画像付けステーションで前記リリース面に形成される前記インク画像は、前記円錐状物体に転写すべき画像の歪み付け鏡対称画像であり、歪み付けは、前記ＩＴＭの伸長を補償するものである、プリント装置。
【請求項１７】
請求項１〜１６のうちいずれか一項記載のプリント装置において、さらに、前記乾燥したインク画像を前記円錐状物体の前記外表面に転写した後に前記ＩＴＭの温度を低下させるステーションを備える、プリント装置。
【請求項１８】
請求項１〜１７のうちいずれか一項記載のプリント装置において、さらに、前記乾燥したインク画像の転写後に前記ＩＴＭの前記リリース面をクリーニングするクリーニングステーションを備える、プリント装置。
【請求項１９】
請求項１〜１８のうちいずれか一項記載のプリント装置において、前記ＩＴＭの前記リリース面は疎水性であり、および／または前記インク組成物は水性である、プリント装置。
【請求項２０】
請求項１〜１９のうちいずれか一項記載のプリント装置において、前記圧胴ステーションでは前記圧胴面は前記円錐状物体のいかなる鋭利端縁にも対面する部分がない、プリント装置。
【請求項２１】
円錐状物体印刷システムに後付けする方法であって、前記方法は、サブアセンブリを設置するステップと、前記システムを前記サブアセンブリに適合させるステップとを含み、適合される前記システムにおける前記サブアセンブリは、請求項１〜２０のうちいずれか一項記載のものである、方法。
【請求項２２】
少なくとも１つのインク組成物を、可撓性無端ベルトの形状を有する中間転写部材（ＩＴＭ）のリリース面に堆積してインク画像を形成するステップと、
蒸発又は放射線曝露によって、前記インク画像をほぼ乾燥し又は少なくとも部分的に硬化させて、前記リリース面上にほぼ乾燥したインク画像を形成するステップと、
圧胴ステーションのニップにおいて、円錐状物体および圧胴面の間で前記ＩＴＭを圧縮して、前記乾燥したインク画像を前記ＩＴＭの前記リリース面から前記円錐状物体の前記外表面に転写させるステップと、
を含む、長手方向軸線を有する円錐状物体の外表面を印刷する方法であり、
前記ＩＴＭは前記ＩＴＭの少なくとも移動方向に弾性変形可能であり、
前記円錐状物体を前記圧胴ステーション通過中に前記円錐状物体自体の長手方向軸線周りに回転させ、
前記ニップにおいて、前記円錐状物体の前記外表面を、前記ＩＴＭの前記リリース面と転動接触させ、
前記ＩＴＭは前記圧胴ステーション通過中に伸長されるよう案内され、
伸長の度合いは、前記ニップにおける前記ＩＴＭと前記円錐状物体との間の全接触線にわたって前記ＩＴＭの表面速度が前記円錐状物体の表面速度に合致するよう、前記ＩＴＭの幅にわたって変化するものである、方法。